(57)【要約】【課題】転写域下流側における記録材の詰まり現象を有効に防止する。【解決手段】記録材Ｓに対向する対向部材１ａを有し、画像Ｇを保持して移動する移動体１と、移動体１に接触した状態で対向部材１ａに対向して配置され、移動体１との間の接触域ｎで記録材Ｓを挟持搬送し、当該移動体１に保持された画像Ｇを記録材Ｓに転写する転写部材２と、接触域ｎよりも記録材Ｓの搬送方向の下流側に設けられ、記録材Ｓの搬送方向に交差する幅方向に沿って延び、記録材Ｓの転写部材２側である裏面との間に対し記録材Ｓ剥離のための剥離用電界Ｅｈを形成する剥離電極３と、移動体１と転写部材２との接触域ｎを通過する記録材Ｓとの幅方向における排出姿勢の変化を考慮し、記録材Ｓの幅方向の中央部と端部とに作用する剥離電極３により形成される電界強度の差を小さくするように、剥離電極３と記録材Ｓとの間に形成される剥離用電界Ｅｈを、剥離電極３の長手方向の中央部と端部とで異ならせるように調整する調整装置５と、を備える。【選択図】図１
2014238454.tif 000002
【特許請求の範囲】
【請求項１】
記録材に対向する対向部材を有し、画像を保持して移動する移動体と、
前記移動体に接触した状態で前記対向部材に対向して配置され、前記移動体との間の接触域で記録材を挟持搬送し、当該移動体に保持された画像を記録材に転写する転写部材と、
前記移動体と前記転写部材との間の接触域よりも記録材の搬送方向の下流側に設けられ、記録材の搬送方向に交差する幅方向に沿って延び、記録材の転写部材側である裏面との間に対し記録材剥離のための剥離用電界を形成する剥離電極と、
前記移動体と前記転写部材との接触域を通過する記録材の幅方向における排出姿勢の変化を考慮し、記録材の幅方向の中央部と端部とに作用する前記剥離電極により形成される電界強度の差を小さくするように、前記剥離電極と前記記録材との間に形成される剥離用電界を、剥離電極の長手方向の中央部と端部とで異ならせるように調整する調整装置と、を備えていることを特徴とする画像形成装置。
【請求項２】
請求項１記載の画像形成装置において、
前記転写部材は前記対向部材よりも高硬度に形成され、
前記調整装置は、前記剥離電極と前記記録材との間に形成される剥離用電界を、前記剥離電極の長手方向の端部よりも中央部で大きくなるように調整することを特徴とする画像形成装置。
【請求項３】
請求項１記載の画像形成装置において、
前記転写部材は前記対向部材よりも低硬度に形成され、
前記調整装置は、前記剥離電極と前記記録材との間に形成される剥離用電界を、前記剥離電極の長手方向の中央部よりも端部で大きくなるように調整することを特徴とする画像形成装置。
【請求項４】
請求項１ないし３いずれかに記載の画像形成装置において、
前記移動体は複数の張架部材に循環移動可能に掛け渡されるベルト部材からなり、
前記転写部材は前記ベルト部材の張架部材を対向部材としてベルト部材に接触して配置されていることを特徴とする画像形成装置。
【請求項５】
請求項１ないし４いずれかに記載の画像形成装置において、
前記調整装置は、前記剥離電極を長手方向において複数に分割し、分割された複数の電極要素に印加する剥離用電圧を変化させることで異なる剥離用電界を形成することを特徴とする画像形成装置。
【請求項６】
請求項１ないし４いずれかに記載の画像形成装置において、
前記調整装置は、前記剥離電極の長手方向において記録材に対向する放電位置を変化させ、当該剥離電極に剥離用電圧を印加することで異なる剥離用電界を形成することを特徴とする画像形成装置。
【請求項７】
請求項１記載の画像形成装置において、
前記記録材が予め決められた坪量又は厚さ以下の薄い記録材であるか否かを判別する記録材種判別手段を有し、
前記調整装置は、前記記録材種判別手段にて記録材が前記薄い記録材であると判別されたときに、前記剥離電極と前記記録材との間に形成される剥離用電界を、剥離電極の長手方向の中央部と端部とで異ならせるように調整することを特徴とする画像形成装置。
【発明の詳細な説明】
【技術分野】
【０００１】
本発明は、画像形成装置に関する。
【背景技術】
【０００２】
従来における画像形成装置としては、例えば特許文献１，２に記載のものが既に知られている。
特許文献１には、制御部として、記録用紙の幅方向の一方側のジャム検知センサと、他方側のジャム検知センサとの検知タイミングから記録用紙の斜行量を算出し、この斜行量に応じて針状放電部材に印加する電圧を制御することで、転写後の記録用紙の斜行を補正する画像形成装置が記載されている。
特許文献２には、転写部でトナー像が転写された記録材を除電するために、転写部の長手方向に配置される複数の電極部材と、複数の電極部材に電圧を印加する除電電源と、夫々の電極部材の電流を検知する検知手段と、検知手段の出力に応じて除電電源を制御して複数の電極部材における電圧を設定する制御手段と、を備えた画像形成装置が記載されている。
【先行技術文献】
【特許文献】
【０００３】
【特許文献１】特開２００７−１２７９４９号公報（発明を実施するための最良の形態，図２）
【特許文献２】特開２００９−２５１１２６号公報（発明を実施するための最良の形態，図６）
【発明の概要】
【発明が解決しようとする課題】
【０００４】
本発明が解決しようとする技術的課題は、転写域下流側における記録材の詰まり現象を有効に防止する画像形成装置を提供することにある。
【課題を解決するための手段】
【０００５】
請求項１に係る発明は、記録材に対向する対向部材を有し、画像を保持して移動する移動体と、前記移動体に接触した状態で前記対向部材に対向して配置され、前記移動体との間の接触域で記録材を挟持搬送し、当該移動体に保持された画像を記録材に転写する転写部材と、前記移動体と前記転写部材との間の接触域よりも記録材の搬送方向の下流側に設けられ、記録材の搬送方向に交差する幅方向に沿って延び、記録材の転写部材側である裏面との間に対し記録材剥離のための剥離用電界を形成する剥離電極と、前記移動体と前記転写部材との接触域を通過する記録材の幅方向における排出姿勢の変化を考慮し、記録材の幅方向の中央部と端部とに作用する前記剥離電極により形成される電界強度の差を小さくするように、前記剥離電極と前記記録材との間に形成される剥離用電界を、剥離電極の長手方向の中央部と端部とで異ならせるように調整する調整装置と、を備えていることを特徴とする画像形成装置である。
【０００６】
請求項２に係る発明は、請求項１に係る画像形成装置において、前記転写部材は前記対向部材よりも高硬度に形成され、前記調整装置は、前記剥離電極と前記記録材との間に形成される剥離用電界を、前記剥離電極の長手方向の端部よりも中央部で大きくなるように調整することを特徴とする画像形成装置である。
請求項３に係る発明は、請求項１に係る画像形成装置において、前記転写部材は前記対向部材よりも低硬度に形成され、前記調整装置は、前記剥離電極と前記記録材との間に形成される剥離用電界を、前記剥離電極の長手方向の中央部よりも端部で大きくなるように調整することを特徴とする画像形成装置である。
請求項４に係る発明は、請求項１ないし３いずれかに係る画像形成装置において、前記移動体は複数の張架部材に循環移動可能に掛け渡されるベルト部材からなり、前記転写部材は前記ベルト部材の張架部材を対向部材としてベルト部材に接触して配置されていることを特徴とする画像形成装置である。
請求項５に係る発明は、請求項１ないし４いずれかに係る画像形成装置において、前記調整装置は、前記剥離電極を長手方向において複数に分割し、分割された複数の電極要素に印加する剥離用電圧を変化させることで異なる剥離用電界を形成することを特徴とする画像形成装置である。
請求項６に係る発明は、請求項１ないし４いずれかに係る画像形成装置において、前記調整装置は、前記剥離電極の長手方向において記録材に対向する放電位置を変化させ、当該剥離電極に剥離用電圧を印加することで異なる剥離用電界を形成することを特徴とする画像形成装置である。
請求項７に係る発明は、請求項１に係る画像形成装置において、前記記録材が予め決められた坪量又は厚さ以下の薄い記録材であるか否かを判別する記録材種判別手段を有し、前記調整装置は、前記記録材種判別手段にて記録材が前記薄い記録材であると判別されたときに、前記剥離電極と前記記録材との間に形成される剥離用電界を、剥離電極の長手方向の中央部と端部とで異ならせるように調整することを特徴とする画像形成装置である。
【発明の効果】
【０００７】
請求項１に係る発明によれば、転写域下流側における記録材の詰まり現象を有効に防止することができる。
請求項２に係る発明によれば、転写部材が移動体の対向部材よりも高硬度に形成された態様において、転写域下流側における記録材の詰まり現象を有効に防止することができる。
請求項３に係る発明によれば、転写部材が移動体の対向部材よりも低硬度に形成された態様において、転写域下流側における記録材の詰まり現象を有効に防止することができる。
請求項４に係る発明によれば、ベルト状の移動体と転写部材との転写域下流側において、記録材が移動体に貼り付いたり、転写部材に巻きつくという記録材の詰まり現象を有効に防止することができる。
請求項５に係る発明によれば、剥離電極と記録材との間に形成される剥離用電界を、剥離電極の長手方向の中央部と端部とで簡単に異ならせることができる。
請求項６に係る発明によれば、剥離電極と記録材との間に形成される剥離用電界を、剥離電極に印加する剥離用電圧を変えずに、剥離電極の長手方向の中央部と端部とで簡単に異ならせることができる。
請求項７に係る発明によれば、薄い記録材の排出姿勢が幅方向において変化したとしても、転写域下流側における記録材の詰まり現象を有効に防止することができる。
【図面の簡単な説明】
【０００８】
【図１】（ａ）は本発明が適用された画像形成装置の実施の形態の概要を示す説明図、（ｂ）は（ａ）中Ｂ方向から見た転写部周辺の説明図である。
【図２】（ａ）は転写域を通過した記録材に働く力を示す説明図、（ｂ）は同転写域を通過した記録材の排出姿勢及び剥離電極による剥離作用を示す説明図である。
【図３】（ａ）は比較の形態に係る画像形成装置において記録材端部で剥離用電界を最適化した例を示す模式図、（ｂ）は比較の形態に係る画像形成装置において記録材中央部で剥離用電界を最適化した例を示す模式図である。
【図４】実施の形態１に係る画像形成装置の全体構成を示す説明図である。
【図５】実施の形態１で用いられる二次転写部の構成例を示す説明図である。
【図６】図５中ＶＩ方向から見た矢視説明図である。
【図７】実施の形態１で用いられる用紙に対する帯電補正処理としての剥離電極の剥離条件設定処理を示すフローチャートである。
【図８】二次転写域における転写荷重分布の一例、及び、二次転写域を通過した用紙の排出姿勢の変化を示す説明図である。
【図９】（ａ）は図８に示す態様に対する剥離電極の剥離条件の設定状態を示す説明図、（ｂ）は図８に示す態様と硬度関係が逆の態様に対する剥離電極の剥離条件の設定状態を示す説明図である。
【図１０】実施の形態２に係る画像形成装置の要部を示す説明図である。
【図１１】実施の形態２に示す画像形成装置において、（ａ）は図８に示す態様に対する剥離電極の剥離条件の設定状態を示す説明図、（ｂ）は図８に示す態様と硬度関係が逆の態様に対する剥離電極の剥離条件の設定状態を示す説明図である。
【図１２】実施の形態３に係る画像形成装置の要部を示す説明図である。
【図１３】実施の形態３で用いられる剥離電極の剥離条件設定処理を示すフローチャートである。
【図１４】（ａ）は実施例１に係る画像形成装置を用いた通紙実験の方法を示す説明図、（ｂ）は（ａ）に示す通紙実験において、転写荷重と用紙の排出姿勢角度との関係を示すグラフ図である。
【図１５】実施例１に係る画像形成装置を用いた通紙実験において、転写荷重と剥離電極印加電圧との関係を示す説明図である。
【発明を実施するための形態】
【０００９】
◎実施の形態の概要
図１（ａ）は本発明が適用された画像形成装置の実施の形態の概要を示す説明図、（ｂ）は（ａ）中Ｂ方向から見た転写部周辺の説明図である。
同図において、画像形成装置は、記録材Ｓに対向する対向部材１ａを有し、画像を保持して移動する移動体１と、移動体１に接触した状態で対向部材１ａに対向して配置され、移動体１との間の接触域ｎで記録材Ｓを挟持搬送し、当該移動体１に保持された画像Ｇを記録材Ｓに転写する転写部材２と、移動体１と転写部材２との間の接触域ｎよりも記録材Ｓの搬送方向の下流側に設けられ、記録材Ｓの搬送方向に交差する幅方向に沿って延び、記録材Ｓの転写部材２側である裏面との間に対し記録材Ｓ剥離のための剥離用電界Ｅｈを形成する剥離電極３と、移動体１と転写部材２との接触域ｎを通過する記録材Ｓとの幅方向における排出姿勢の変化を考慮し、記録材Ｓの幅方向の中央部と端部とに作用する剥離電極３により形成される電界強度の差を小さくするように、剥離電極３と記録材Ｓとの間に形成される剥離用電界Ｅｈを、剥離電極３の長手方向の中央部と端部とで異ならせるように調整する調整装置５と、を備えている。
【００１０】
このような技術的手段において、本件は、転写域を通過する記録材Ｓの排出姿勢が長手方向で変化する状況に起因する記録材Ｓの詰まり現象を改善するものである。
本例において、移動体１とは、記録材Ｓに対向する対向部材１ａを有し、画像Ｇを保持して搬送する機能を有するものであれば適宜選定して差し支えない。例えば感光体等の像保持体上に形成された画像Ｇを記録材Ｓに直接転写する態様では、像保持体が移動体１に相当し、また、像保持体上の画像Ｇを中間転写体を介して記録材Ｓに転写する態様では、中間転写体が移動体１に相当する。
また、転写部材２は、移動体１に接触して移動体１との間で記録材Ｓを挟持搬送する機能と、移動体１上の画像Ｇを記録材Ｓに転写する機能とを具備するものであればよく、代表的には転写ロールが挙げられる。
更に、剥離電極３としては、移動体１と転写部材２との間に記録材剥離のための剥離用電界Ｅｈを形成する電極であればよく、代表的には記録材Ｓの搬送方向に交差する幅方向に沿って針状電極部を多数配列したものが挙げられるが、これに限られず、剥離用電界Ｅｈを形成する電極として機能する態様であれば板状、棒状電極など適宜選定して差し支えない。
尚、図中、符号４は剥離電極３に剥離用電圧Ｖｈを印加する剥離用電源である。
更にまた、調整装置５は、剥離電極３の構成や剥離電極３へ印加すべき剥離用電圧を工夫することで所望の剥離用電界Ｅｈを調整するものであればよい。
本態様では、記録材Ｓの排出姿勢が幅方向において変化すると、剥離電極３により形成される剥離用電界Ｅｈに基づく記録材Ｓに対する電荷調整度合が記録材Ｓの幅方向において異なり、剥離電極３による記録材Ｓの電荷調整が不均一になり易いため、これを解消するという観点から、「移動体１と転写部材２との接触域ｎを通過する記録材Ｓの幅方向における排出姿勢の変化を考慮し、」という要件を付加したものである。
尚、このように、記録材Ｓの排出姿勢が幅方向において変化するのは、腰の弱い低坪量又は厚さの薄いものにおいて顕著である。
【００１１】
ここで、転写域を通過した記録材Ｓに働く力、並びに、同記録材Ｓの排出姿勢及び剥離電極３による剥離作用について図２（ａ）（ｂ）を用いて説明する。
＜転写域を通過した記録材に働く力＞
この種の画像形成装置では、記録材Ｓが移動体１と転写部材２との間の接触域ｎ（転写域に相当）を通過すると、移動体１の対向部材１ａと転写部材２との間に転写電界が形成され、移動体１上の画像Ｇが記録材Ｓに転写される。
このため、記録材Ｓは転写域を通過するときに転写電界の影響を受け、接触域ｎ及び接触域ｎの出口近傍において帯電する。そして、接触域ｎの出口近傍の転写電界の作用により記録材Ｓは静電力を受ける。
ここで、記録材Ｓに作用する力ｆについて検討してみると、以下の数式（１）で表すことが可能である。
ｆ＝ｑＥｈ＋ｍｇ−ｋ（１／ｒ’）−ｍｒω２          ……（１）
但し、ｑは記録材Ｓの帯電電荷量、Ｅｈは剥離電極３と記録材Ｓとの間に形成される剥離用電界、ｍは記録材Ｓの質量、ｇは重力加速度、ｒは転写部材２の曲率半径、ωはその角速度、ｒ’は接触域ｎを通過した記録材Ｓの曲率半径であって転写部材２の曲率半径ｒに対して転写部材２や対向部材１ａの変形分を考慮したもの、ｋは記録材Ｓの種類によって予め決まる弾性係数である。
そして、数式（１）のうち、‘ｑＥｈ’は静電気力成分、‘ｍｇ’は重力成分、‘ｋ（１／ｒ’）’は記録材属性による復元力成分（所謂腰の強さ）、‘ｍｒω２’は遠心力成分であり、静電気力成分以外は記録材Ｓの属性や搬送速度などで一義的に決まってくるため、本例では、静電気力成分を増減することで記録材Ｓに作用する力ｆを調整することが可能であることが理解される。
よって、数式（１）によれば、静電気力成分及び重力成分の合力に対し、記録材Ｓの復元力成分（所謂腰の強さ）が弱いと記録材Ｓが変形し、転写部材２に捲き付いたり、移動体１へ貼り付いたりしてしまい、記録材Ｓの詰まり現象（ジャム）が発生する。この詰まり現象は腰の弱い低坪量又は厚さの薄い記録材Ｓほど起こり易い。
【００１２】
このような技術的課題については、比較の形態に係る画像形成装置（接触域ｎよりも記録材Ｓの搬送方向下流側に剥離電極３を配設し、この剥離電極３に対し剥離用電源４にて予め決められた剥離用電圧を印加するもので調整装置５を具備していない態様）は、転写域を通過する記録材Ｓの帯電電荷を調整することで静電気力成分の影響を小さくし、もって、記録材Ｓが移動体１に貼り付いたり、転写部材２に捲き付く事態を抑制することを企図している。
この種の電荷調整は、図２（ｂ）に示すように、剥離電極３と記録材Ｓの裏面との間の放電により行われるため、剥離電極３と記録材Ｓとの間の間隙ｇ、及び、剥離電極３へ印加する剥離用電圧Ｖｈを適性にすることが重要である。また、転写域を通過する記録材Ｓの排出姿勢は接触域ｎでの転写荷重（転写部材２が対向部材１ａに加圧されるときの荷重に相当）に依存することが知られており、接触域ｎでの転写荷重の大小によって記録材Ｓの排出姿勢の角度θが変化する。
尚、図２（ｂ）中、Ｌ０は接触域ｎの入口部分と出口部位とを結んだ方向に延びる基準線、Ｌは接触域ｎの出口部分から記録材Ｓの排出姿勢方向に延びる排出方向線で、基準線Ｌ０に対して角度θだけ変位したものになっている。
【００１３】
＜転写域での転写荷重分布と記録材の排出姿勢との関係＞
次に、転写域での転写荷重分布と記録材Ｓの排出姿勢との関係について図３を用いて説明する。
本例では、転写域での転写荷重分布は転写部材２の軸方向中央部が端部に比べて小さい傾向を示す。これは、転写部材２が対向部材１ａにより通常下方に配置され、この状態で、対向部材１ａ側に食い込んだ状態で加圧される態様であるが、転写部材２は通常両端支持されることから、転写部材２の軸方向中央部が端部に比べて自重により撓み変形し、これに伴って、転写部材２と対向部材１ａとの加圧状態として転写部材２の軸方向中央部の転写荷重が端部よりも低減することに基づく。
このような状況において、転写域を通過する記録材Ｓは、転写部材２の軸方向中央部にて小さい転写荷重を受けると共に、転写部材２の軸方向端部にて大きい転写荷重を受けることになる。このとき、例えば転写部材２が対向部材１ａに比べて高硬度である場合には、転写荷重がかかると、柔らかい対向部材１ａの方が変形することになるため、対向部材１ａの変形は軸方向中央部よりも端部の方が大きい。それゆえ、図３（ａ）に示すように、転写域を通過した記録材Ｓの幅方向中央部の排出姿勢は、同記録材Ｓの幅方向端部の排出姿勢に比べて移動体１側に接近する方向（上向き）に変化する。
このとき、剥離電極３による帯電調整手法として、例えば記録材Ｓの幅方向端部の帯電電荷に対して最適化調整するように、剥離電極３にて記録材Ｓの帯電電荷ｅ＋（図３（ａ）では＋符号で表記）を打ち消すべく剥離電荷ｅ−（図３（ａ）では−符号で表記）を付与すると、記録材Ｓの幅方向端部では帯電電荷ｅ＋が剥離電荷ｅ−で適性に打ち消され、記録材Ｓの幅方向端部は効果的に除電される。これに対し、記録材Ｓの幅方向中央部では当該記録材Ｓの幅方向中央部の排出姿勢が記録材Ｓの幅方向端部に比べて上向きに配置されることから、剥離電極３と記録材Ｓとの間の間隙が広がり、その分、剥離電極３に予め決められた剥離用電圧ｖｈを印加したとしても、剥離電極３と記録材Ｓとの間に形成される剥離用電界Ｅｈの強度が弱くなり、記録材Ｓの幅方向中央部に付与される剥離電荷ｅ−が記録材Ｓの幅方向端部よりも少なく、剥離電極３による電荷調整（剥離電荷ｅ−の供給量）が不足気味になり、記録材Ｓの幅方向中央部の帯電電荷ｅ＋は剥離電荷ｅ−によって十分には除電されない虞れがある。このため、転写域を通過した記録材Ｓの幅方向中央部における帯電調整が不足してしまい、当該記録材Ｓの幅方向中央部は帯電電荷ｅ＋が不必要に残存してしまい移動体１側に貼り付き易いという事態が発生する。
【００１４】
また、図３（ｂ）に示すように、例えば記録材Ｓの幅方向中央部の帯電電荷に対して最適化調整するように、剥離電極３にて記録材Ｓの帯電電荷ｅ＋（図３（ｂ）では＋符号で表記）を打ち消すべく剥離電荷ｅ−（図３（ｂ）では−符号で表記）を付与すると、記録材Ｓの幅方向中央部では帯電電荷ｅ＋が剥離電荷ｅ−で適性に打ち消され、記録材Ｓの幅方向中央は効果的に除電される。これに対し、記録材Ｓの幅方向端部では当該記録材Ｓの幅方向端部の排出姿勢が記録材Ｓの幅方向中央部に比べて下向きに配置されることから、剥離電極３と記録材Ｓとの間の間隙が狭まり、その分、剥離電極３に予め決められた剥離用電圧Ｖｈを印加した場合には、剥離電極３と記録材Ｓとの間に形成される剥離用電界Ｅｈの強度が強くなり、記録材Ｓの幅方向端部に付与される剥離電荷ｅ−が記録材Ｓの幅方向中央部よりも多く、剥離電極３による電荷調整（剥離電荷ｅ−の供給量）が過多気味になり、記録材Ｓの幅方向端部の帯電電荷ｅ＋は剥離電荷ｅ−によって打ち消される事態を越えて放電過多になる虞れがある。このため、転写域を通過した記録材Ｓの幅方向端部は剥離電荷ｅ−が過多になって記録材Ｓが負帯電となり、転写部材２側に捲き付き易いという事態が発生する。
【００１５】
また、例えば転写部材２が対向部材１ａに比べて低硬度である場合には、転写荷重がかかると、柔らかい転写部材２の方が変形することになるため、転写部材２の変形は軸方向中央部よりも端部の方が大きい。それゆえ、図３に示す場合とは逆に、転写域を通過した記録材Ｓの幅方向端部の排出姿勢は、同記録材Ｓの幅方向中央部の排出姿勢に比べて移動体１側に接近する方向（上向き）に変化する。
このため、剥離電極３による帯電調整手法として、例えば記録材Ｓの幅方向端部の帯電電荷に対して最適化調整するようにしても、記録材Ｓの幅方向中央部に対する帯電調整が不足気味になり易く、また逆に、記録材Ｓの幅方向中央部の帯電電荷に対して最適化調整するようにすると、記録材Ｓの幅方向端部に対する帯電調整が過多になり易い。
【００１６】
＜調整装置による作用＞
しかしながら、本実施の形態では、調整装置５は、記録材Ｓの幅方向中央部と端部とで剥離電極３による帯電量を調整することが可能であることから、転写域での記録材Ｓに対する転写荷重分布の差異により、記録材Ｓの幅方向中央部と端部とで記録材Ｓの排出姿勢が変化したとしても、記録材Ｓの排出姿勢に合わせて記録材Ｓの幅方向中央部、端部に対して帯電調整が可能になり、記録材Ｓは、移動体１に貼り付いたり、転写部材２に巻き付くことなく、転写域を通過して排出される。
【００１７】
次に、本実施の形態に係る画像形成装置の代表的態様又は好ましい態様について説明する。
先ず、移動体１と転写部材２との接触域ｎの代表的態様としては、図１（ｂ）に示すように、対向部材１ａよりも転写部材２を高硬度に形成し、調整装置５は、剥離電極３と記録材Ｓとの間に形成される剥離用電界Ｅｈを、剥離電極３の長手方向の端部よりも中央部で大きくなるように調整すればよい。
このように、転写部材２が移動体１の対向部材１ａよりも高硬度である条件では、移動体１と転写部材２との接触域ｎの荷重分布が、記録材Ｓの幅方向の中央部に比べて端部の方が大きいことにより、対向部材１ａの変形は中央部よりも端部の方が大きい。よって、記録材Ｓの排出姿勢としては、接触荷重の小さい中央部は、接触荷重の大きい端部に比べて、剥離電極３から離れた向きに排出される。この場合、記録材Ｓの幅方向中央部と剥離電極３との間隙ｇｃは、記録材Ｓの幅方向端部と剥離電極３との間隙ｇｅに比べて広がることから、剥離用電界Ｅｈとしては、記録材Ｓの幅方向中央部の電界Ｅｈｃを端部の電界Ｅｈｅに比べて大きくなるように調整することで、記録材Ｓの幅方向における電界強度の差を小さくすることが可能である。
【００１８】
また、移動体１と転写部材２との接触域ｎの別の代表的態様としては、対向部材１ａよりも転写部材２を低硬度に形成し、調整装置５は、剥離電極３と記録材Ｓとの間に形成される剥離用電界Ｅｈを、剥離電極３の長手方向の中央部よりも端部で大きくなるように調整すればよい。
このように、転写部材２が移動体１の対向部材１ａよりも低硬度である条件では、図１（ｂ）に二点鎖線で示すように、記録材Ｓの排出姿勢としては、転写部材２の変形が大きい端部は、転写部材２の変形が小さい中央部に比べて、剥離電極３から離れた向きに排出される。この場合、記録材Ｓの幅方向端部と剥離電極３との間隙ｇｅは、記録材Ｓの幅方向中央部と剥離電極３との間隙ｇｃに比べて広がることから、剥離用電界Ｅｈとしては、記録材Ｓの幅方向端部の電界Ｅｈｅを中央部の電界Ｅｈｃに比べて大きくなるように調整することで、記録材Ｓの幅方向における電界強度の差を小さくすることが可能である。
【００１９】
また、画像形成装置の代表的態様としては、移動体１は複数の張架部材に循環移動可能に掛け渡されるベルト部材からなり、転写部材２はベルト部材の張架部材を対向部材１ａとしてベルト部材に接触して配置されている態様が挙げられる。
本態様は、移動体１がベルト部材で、その張架部材の一つを対向部材として兼用する態様であり、主としては、中間転写方式の中間転写ベルトの二次転写部の構成として採用されるが、直接転写方式の感光体ベルトの転写部の構成として採用してもよい。
更に、調整装置５の代表的態様としては、剥離電極３を長手方向において複数に分割し、分割された複数の電極要素に印加する剥離用電圧Ｖｈ（例えばＶｈｃ，Ｖｈｅ）を変化させることで異なる剥離用電界Ｅｈ（Ｅｈｃ，Ｅｈｅ）を形成するものが挙げられる。
本態様では、分割された剥離電極３の各電極要素に印加する剥離用電圧Ｖｈを変化させ、対応する電極要素と記録材Ｓとの間の剥離用電界Ｅｈを異ならせる態様であり、剥離電極３の分割数は、少なくとも長手方向の中央部と端部とが分離可能であれば適宜選定して差し支えない。
更にまた、調整装置５の別の代表的態様としては、剥離電極３の長手方向において記録材Ｓに対向する放電位置を変化させ、当該剥離電極３に剥離用電圧Ｖｈを印加することで異なる剥離用電界Ｅｈを形成するものが挙げられる。
本態様では、剥離電極３は例えば長手方向において複数に分割され、複数に分割された電極要素と記録材Ｓとの相対距離を変化させるようにすればよい。尚、記録材Ｓの排出姿勢の傾向が予め決まっている態様では、記録材Ｓの排出姿勢の傾向に合わせて剥離電極３の放電位置を予め設定したものを複数用意しておき、最適なものを選定して配設するようにしてもよい。
また、記録材Ｓの種類に応じて調整装置５による剥離用電界Ｅｈの調整動作を異なるようにしてもよい。
例えば記録材Ｓが予め決められた坪量又は厚さ以下の薄い記録材Ｓであるか否かを判別する記録材種判別手段を有し、調整装置５は、記録材種判別手段にて記録材Ｓが薄い記録材Ｓであると判別されたときに、剥離電極３と記録材Ｓとの間に形成される剥離用電界Ｅｈを、剥離電極３の長手方向の中央部と端部とで異ならせるように調整するようにしてもよい。
本態様では、記録材Ｓの排出姿勢が幅方向において変化し易い薄い記録材Ｓであるときに、調整装置５によって剥離用電界Ｅｈを所望のものに切り替える方式である。
ここで、薄い記録材Ｓでない場合には、記録材Ｓの排出姿勢はその腰の強さから略一定になることから、剥離電極３の長手方向において剥離用電界Ｅｈを異ならせる必要がなく、剥離電極３の長手方向において略均等な剥離用電界Ｅｈを形成するようにすれば足りる。これに対し、薄い記録材Ｓを使用する場合には、記録材Ｓの排出姿勢の変化を考慮した所望の剥離用電界Ｅｈに切り替え、記録材Ｓの剥離性を確保することが可能である。
【００２０】
◎実施の形態１
＜画像形成装置の全体構成＞
図４は実施の形態１に係る画像形成装置の全体構成を示す説明図である。
同図において、画像形成装置２０は、所謂タンデム型の中間転写方式の態様であり、複数の色成分（本例ではイエロ（Ｙ）、マゼンタ（Ｍ）、シアン（Ｃ）、ブラック（Ｋ））の画像形成部２１（具体的には２１ａ〜２１ｄ）を略水平に沿う横方向に配列し、各画像形成部２１に対向した部位にはベルト状の中間転写体２２を循環移動可能に配設する一方、各画像形成部２１に対応した中間転写体２２の裏面には、各画像形成部２１で形成された各色成分トナーによる画像が中間転写体２２に一次転写させられる一次転写装置２３（具体的には２３ａ〜２３ｄ）を配設すると共に、中間転写体２２の移動方向に対し最下流に位置する画像形成部２１（本例では２１ｄ）よりも下流側に位置する中間転写体２２の一部には、当該中間転写体２２に一次転写された各色成分画像が記録材としての用紙Ｓに二次転写（一括転写）させられる二次転写装置２５を配設したものである。
更に、本例の画像形成装置２０は、二次転写装置２５にて一括転写された画像を用紙Ｓ上に定着させる定着装置２７と、二次転写装置２５による転写部位及び定着装置２７による定着部位に用紙Ｓを搬送する用紙搬送系２８と、を備えている。
【００２１】
本実施の形態において、各画像形成部２１（２１ａ〜２１ｄ）は、ドラム状の感光体３１を有し、各感光体３１の周囲には、感光体３１が帯電されるコロトロンなどの帯電装置３２、帯電された感光体３１上に静電潜像が書込まれるレーザ走査装置などの露光装置３３、感光体３１上に書込まれた静電潜像が各色成分トナーにて現像される現像装置３４及び感光体３１上の残留トナーが除去される清掃装置３５を夫々配設したものである。
また、中間転写体２２は、例えばゴム又は樹脂材料によってベルト状に構成され、複数（本実施の形態では３つ）の張架ロール４１〜４３に掛け渡されており、張架ロール４１が駆動モータ（図示せず）にて駆動される駆動ロールとして用いられると共に、張架ロール４２，４３が従動ロールとして用いられ、また、張架ロール４２は張架ロール４１と共に各感光体３１の一次転写面を形成するものであり、更に、張架ロール４３が二次転写装置２５の対向ロールとして用いられる。そしてまた、張架ロール４１に対向した中間転写体２２の表面側には、二次転写後の中間転写体２２上の残留トナーを除去するための清掃装置４８が設けられている。
【００２２】
更に、本実施の形態において、一次転写装置２３は、各感光体３１に対応して中間転写体２２の裏面に接触配置される一次転写ロール５１を有しており、各感光体３１に対して一次転写ロール５１を予め決められた荷重をもって押圧することで、感光体３１と中間転写体２２との間に一次転写域として作用する接触域を形成し、更に、一次転写ロール５１に予め決められた一次転写電流を供給することで、一次転写域に一次転写電界を作用させ、中間転写体２２に対し感光体３１上の各色成分トナーによる画像を転写させるものである。
更にまた、二次転写装置２５は、図４及び図５に示すように、張架ロール４３に対応する中間転写体２２の表面に接触配置される二次転写ロール７１を有し、この二次転写ロール７１と中間転写体２２との間に二次転写域として作用する接触域ｎを形成する一方、二次転写ロール７１の対向ロール７２としての張架ロール４３の表面には給電ロール７３を接触配置し、この給電ロール７３に予め決められた二次転写電圧Ｖｔを印加すると共に二次転写ロール７１を接地することで、二次転写域に二次転写電界を作用させ、用紙Ｓに対し中間転写体２２上の各色成分トナーによる画像を転写させるものである。
【００２３】
更に、定着装置２７は、例えば内部に加熱源を有する加熱定着ロール８１と、この加熱定着ロール８１に圧接配置されて当該加熱定着ロール８１に追従して回転する加圧定着ロール８２と、を備え、両定着ロール８１，８２間にて用紙Ｓ上の未定着画像を加熱・加圧定着するようになっている。
また、用紙搬送系２８は、用紙収容容器９１に収容された用紙Ｓをフィードロール９２にて用紙搬送路に繰り出し、用紙搬送路には適宜数の搬送ロール９３を配設すると共に、二次転写域の直前に位置する用紙搬送路には用紙Ｓが位置決めされた後に所定のタイミングで二次転写域に供給される位置決めロール９４を配設し、更に、用紙搬送路の二次転写域の下流側には定着装置２７に向けて用紙Ｓが搬送可能な搬送ベルト９５を配設したものである。
【００２４】
＜二次転写装置の構成例＞
本例では、二次転写装置２５は、図４及び図５に示すように、二次転写ロール７１が対向ロール７２の下方に配置されており、二次転写ロール７１と対向ロール７２（張架ロール４３を兼用）との間に二次転写域としての接触域ｎを有している。尚、図５中、‘Ｏ’は二次転写ロール７１と対向ロール７２との中心間を結んだ中心線を示す。
この二次転写域としての接触域ｎの形状は適宜選定して差し支えないが、本例では、二次転写ロール７１の硬度をＨｔ、径寸法をｄｔ、対向ロール７２の硬度をＨｂ、径寸法をｄｂとすると、以下のような関係を満たすように選定されている。
Ｈｔ＞Ｈｂ
ｄｔ＞ｄｂ
ここで、二次転写ロール７１及び対向ロール７２の硬度、寸法関係からすると、図５に示すように、二次転写域としての接触域ｎの形状は対向ロール７２側に凸状になっていることから、二次転写域としての接触域ｎを通過する用紙Ｓは、図５のＵで囲む領域に示すように、中間転写体２２から離れる方向、つまり、二次転写ロール７１側に寄って排出される。
また、本例では、二次転写ロール７１はその軸方向両端部が加圧される方式を採用していることから、二次転写ロール７１の軸方向中央部が自重で撓み変形し、これに伴って、二次転写域での転写荷重分布は、二次転写ロール７１の軸方向端部（Out,In）に比べて中央部（Cnt）が低くなる傾向がある（例えば図８参照）。
本例では、二次転写域での転写荷重分布については、例えば画像形成装置の出荷時に測定した転写荷重分布データが後述する制御装置１１０の記憶部１１１に読み出し可能に予め格納される。
【００２５】
＜帯電補正装置＞
本実施の形態では、用紙搬送路のうち二次転写域の用紙搬送方向の下流側直後には帯電補正装置９６が設けられている。この帯電補正装置９６は、用紙Ｓの二次転写ロール７１側、つまり用紙Ｓの画像保持面とは異なる裏面側に対向して設けられ、二次転写域を通過した用紙Ｓが中間転写体２２に貼り付いたり、二次転写ロール７１に捲き付いたりしないように用紙Ｓの帯電状態を補正することで、中間転写体２２及び二次転写ロール７１から用紙Ｓを剥離するものである。
ここで、帯電補正装置９６としては、例えば用紙Ｓの帯電電荷を低減させる除電器９７が代表的である。この除電器９７は、図５及び図６に示すように、用紙Ｓの裏面に対向して設けられ、用紙Ｓの搬送方向に交差する幅方向に沿って延びる板状の剥離電極９８と、この剥離電極９８に対して剥離用電圧Ｖｈを印加する剥離用電源９９と、を備えている。
特に、本実施の形態では、剥離電極９８は、複数、本例では用紙Ｓの両端部及び中央部に対応して３つに分割された電極要素９８ａ〜９８ｃからなり、各電極要素９８ａ〜９８ｃは夫々電極板１００を有し、この電極板１００の用紙Ｓの裏面側にはのこぎり刃状の除電針１０１を多数配列した状態で突出して形成したものである。
また、剥離用電源９９は各電極要素９８ａ〜９８ｃに対して個々的に異なる剥離用電圧Ｖｈを印加可能に構成されている。
【００２６】
＜剥離用電源の制御系＞
本実施の形態では、画像形成装置の一連の画像処理を制御する制御装置１１０が設けられている。この制御装置１１０はＣＰＵ等の制御部（図示せず）、ＲＯＭ、ＲＡＭ等の記憶部１１１、表示部１１２及び操作部１１３を含むマイクロコンピュータからなり、記憶部１１１に例えば図７に示す‘剥離電極の剥離条件設定処理プログラム’（用紙に対する帯電補正処理）を予め格納しておき、制御部にてこのプログラムを実行することで、剥離電極９８の各電極要素９８ａ〜９８ｃに対し印加すべき所定の剥離用電圧Ｖｈを設定するようになっている。
【００２７】
＜画像形成装置の作動＞
次に、本実施の形態に係る画像形成装置の作動について説明する。
本実施の形態では、制御装置１１０は、各画像形成部２１にて各色成分トナーによる画像Ｇを感光体３１上に形成し、一次転写装置２３にて感光体３１上の各色成分画像を中間転写体２２に一次転写した後、二次転写装置２５にて中間転写体２２上の各色成分画像を用紙Ｓに一括転写する。
そして、二次転写域を通過した用紙Ｓは、帯電補正装置９６としての除電器９７にて帯電補正されて二次転写域から剥離した状態で排出され、搬送ベルト９５を通じて定着装置２７に至り、用紙Ｓ上に画像Ｇを定着した後に図示外の用紙収容受けに排出される。
このような作像処理過程の中で帯電補正装置９６による用紙Ｓの帯電補正は以下のように実施される。
【００２８】
＜用紙に対する帯電補正処理１＞
図７は本実施の形態に係る画像形成装置における用紙に対する帯電補正処理としての剥離電極の剥離条件設定処理を示すフローチャートである。
今、制御装置１１０は、先ず、記憶部１１１に格納されている転写荷重分布データを読み出す。
このとき、読み出した転写荷重分布が図８に示すものであると仮定すると、この転写荷重分布は、用紙Ｓの幅方向中央部が両端部に比べて小さい傾向を示す。この状態においては、用紙Ｓの排出姿勢は転写荷重に大きく依存しており、用紙Ｓの幅方向端部では、転写荷重が大きいことから、二次転写域を通過した用紙Ｓの排出姿勢は、接触域ｎの入口部分と出口部分とを結んだ方向に延びる基準線Ｌ０よりも下向きに傾斜して配置され、また、用紙Ｓの幅方向中央部では、転写荷重が小さいことから、二次転写域を通過した用紙Ｓの排出姿勢は、基準線Ｌ０よりも上向きに傾斜して配置される。
ここで、二次転写域での転写荷重分布と用紙Ｓの排出姿勢とを関連付けた情報を、実験や予測アルゴリズムに基づいて予め記憶部１１１に格納しておけば、制御装置１１０は読み出した転写荷重分布データに基づいて用紙Ｓの幅方向中央部及び両端部の排出姿勢を予測することが可能になる。
そして、制御装置１１０は、予測した用紙Ｓの幅方向中央部及び両端部の排出姿勢から、用紙Ｓの各部と剥離電極９８の各電極要素９８ａ〜９８ｃとの間の間隙ｇを割り出し、剥離電極９８の電極要素９８ａ〜９８ｃ毎に剥離用電圧Ｖｈを設定する。
この結果、二次転写域を通過した用紙Ｓの排出姿勢は、幅方向中央部と両端部とで異なったとしても、用紙Ｓの夫々の排出姿勢に応じて夫々適性な剥離用電界Ｅｈを形成することが可能である。
つまり、本例では、図９（ａ）に示すように、用紙Ｓの幅方向中央部と剥離電極９８の電極要素９８ｃとの間隙をｇｃ、用紙Ｓの幅方向両端部と剥離電極９８の電極要素９８ａ，９８ｂとの間の間隙をｇｅとしたときにｇｃ＞ｇｅであるため、剥離電極９８の電極要素９８ｃに印加する剥離用電圧をＶｈｃ、剥離電極９８の電極要素９８ａ，９８ｂに印加する剥離用電圧をＶｈｅとすると、Ｖｈｃ＞Ｖｈｅになるように設定することで、用紙Ｓの幅方向中央部へ作用する剥離用電界をＥｈｃ、用紙Ｓの幅方向両端部へ作用する剥離用電界をＥｈｅとすると、Ｅｈｃ＞Ｅｈｅを満たす関係が得られる。
この結果、用紙Ｓの排出姿勢が異なっても、適性な剥離用電界Ｅｈを形成することで用紙Ｓの各部での帯電補正効果を調整することが可能である。
【００２９】
＜用紙に対する帯電補正処理の変形例＞
本実施の形態では、二次転写域での転写荷重分布に基づいて用紙Ｓに対する帯電補正処理を実施するようにしているが、必ずしもこれに限られるものではなく、例えば他の補正条件を加味するようにしてもよい。ここで、補正条件としては、例えば図７に２点鎖線で示すように、二次転写ロール７１及び対向ロール７２の抵抗（体積抵抗）を考慮するようにしてもよい。
例えば二次転写ロール７１の抵抗をＲｔ、対向ロール７２の抵抗をＲｂとしたときに、Ｒｔ＞Ｒｂの関係を満たすと仮定すると、用紙Ｓは抵抗の高い二次転写ロール７１側に引っ張られる傾向にある。このため、このような抵抗関係を満たす場合には、用紙Ｓの排出姿勢は、抵抗差のない態様に比べて幾分か変化する可能性もあるため、この変化分を補正量に付加するようにして剥離用電圧Ｖｈを設定するようにしてもよいことは勿論である。
尚、補正条件として、二次転写ロール７１及び対向ロール７２の抵抗以外に、環境条件（温度、湿度）などを考慮してもよい。
【００３０】
＜用紙に対する帯電補正処理２＞
本実施の形態では、二次転写ロール７１及び対向ロール７２の硬度関係がＨｔ＞Ｈｂである態様を例に挙げて説明したが、例えば硬度関係がＨｔ＜Ｈｂである場合には以下のようである。
本例では、二次転写域での転写荷重分布は図８と同様である。この状態においては、用紙Ｓの幅方向中央部では、転写荷重が小さい又は、二次転写ロール７１の変形が小さいことから、二次転写域を通過した用紙Ｓの排出姿勢は、基準線Ｌ０よりも下向きに傾斜して配置され、また、用紙Ｓの幅方向両端部では、転写荷重が大きい又は二次転写ロール７１の変形が大きいことから、二次転写域を通過した用紙Ｓの排出姿勢は、基準線Ｌ０よりも上向きに傾斜して配置される。
このため、本態様では、図９（ｂ）に示すように、用紙Ｓの幅方向中央部と剥離電極９８の電極要素９８ｃとの間隙ｇｃと、用紙Ｓの幅方向両端部と剥離電極９８の電極要素９８ａ，９８ｂとの間の間隙ｇｅとはｇｃ＜ｇｅの関係を満たす。このため、剥離電極９８の電極要素９８ｃに印加する剥離用電圧Ｖｈｃ、剥離電極９８の電極要素９８ａ，９８ｂに印加する剥離用電圧ＶｈｅとはＶｈｃ＜Ｖｈｅの関係を満たすように設定することで、用紙Ｓの幅方向中央部へ作用する剥離用電界Ｅｈｃ、用紙Ｓの幅方向両端部へ作用する剥離用電界ＥｈｅとはＥｈｃ＜Ｅｈｅを満たす関係が得られる。
この結果、用紙Ｓの排出姿勢が異なっても、適性な剥離用電界Ｅｈを形成することで用紙Ｓの各部での帯電補正効果を調整することが可能である。尚、本態様についても、二次転写ロール７１及び対向ロール７２の硬度関係以外に他の補正条件を加味して剥離用電界Ｅｈを調整してもよいことは勿論である。
【００３１】
◎実施の形態２
図１０は実施の形態２に係る画像形成装置の要部を示す説明図である。
同図において、画像形成装置の基本的構成は、実施の形態１と略同様であるが、用紙Ｓに対する帯電補正処理が実施の形態１と異なるものである。尚、実施の形態１と同様な構成要素については実施の形態１と同様な符号を付してここではその詳細な説明を省略する。
本例では、帯電補正装置９６としての除電器９７は、実施の形態１と同様に、複数（本例では３つ）の電極要素９８ａ〜９８ｃからなる剥離電極９８と、この剥離電極９８に対して剥離用電圧Ｖｈを印加する剥離用電源９９と、を備えているが、実施の形態１と異なり、剥離電極９８のうち、用紙Ｓの幅方向中央部に対応した電極要素９８ｃは昇降装置１２０によって昇降可能に支持されており、制御装置１１０からの制御信号に基づいて電極要素９８ｃの昇降位置が設定され、また、剥離用電源９９は各電極要素９８ａ〜９８ｃに対して共通の剥離用電圧Ｖｈを印加するようになっている。尚、昇降装置１２０としては電極要素９８ｃを昇降させる機能部材（例えばカム等）を有していれば適宜選定して差し支えない。
【００３２】
次に、本実施の形態に係る画像形成装置の用紙に対する帯電補正処理について説明する。
＜用紙に対する帯電補正処理１＞
先ず、二次転写ロール７１の硬度Ｈｔと対向ロール７２の硬度ＨｂとがＨｔ＞Ｈｂの関係を満たす場合には、実施の形態１で説明したように、二次転写域での転写荷重分布は図８に示すように、用紙Ｓの幅方向中央部が両端部に比べて小さい傾向を示し、用紙Ｓの排出姿勢は、幅方向中央部が上向きで幅方向両端部が下向きになるように予測される。
この状態において、本例では、図１１（ａ）に示すように、用紙Ｓの幅方向中央部と剥離電極９８の電極要素９８ｃとの間隙をｇｃ、用紙Ｓの幅方向両端部と剥離電極９８の電極要素９８ａ，９８ｂとの間の間隙をｇｅとしたときにｇｃ＞ｇｅであるため、昇降装置１２０にて剥離電極９８の電極要素９８ｃを用紙Ｓ側に向けて上昇させ、その間隙ｇｃがｇｅと略同程度になる位置まで移動させ、この状態で、予め決められた剥離用電圧Ｖｈを設定するようにすれば、用紙Ｓの幅方向中央部へ作用する剥離用電界Ｅｈｃ、用紙Ｓの幅方向両端部へ作用する剥離用電界Ｅｈｅとは、Ｅｈｃ≒Ｅｈｅを満たす関係が得られる。
この結果、用紙Ｓの排出姿勢が異なっても、適性な剥離用電界Ｅｈを形成することで用紙Ｓの各部での帯電補正効果を調整することが可能である。
【００３３】
＜用紙に対する帯電補正処理２＞
次に、二次転写ロール７１の硬度Ｈｔと対向ロール７２の硬度ＨｂとがＨｔ＜Ｈｂの関係を満たす場合には、実施の形態１で説明したように、用紙Ｓの排出姿勢は、幅方向中央部が下向きで幅方向両端部が上向きになるように予測される。
この状態において、本例では、図１１（ｂ）に示すように、用紙Ｓの幅方向中央部と剥離電極９８の電極要素９８ｃとの間隙ｇｃ、用紙Ｓの幅方向両端部と剥離電極９８の電極要素９８ａ，９８ｂとの間の間隙ｇｅとはｇｃ＜ｇｅの関係にあるため、昇降装置１２０にて剥離電極９８の電極要素９８ｃを用紙Ｓから離す方向に向けて降下させ、その間隙ｇｃがｇｅと略同程度になる位置まで移動させ、この状態で、予め決められた剥離用電圧Ｖｈを設定するようにすれば、用紙Ｓの幅方向中央部へ作用する剥離用電界Ｅｈｃ、用紙Ｓの幅方向両端部へ作用する剥離用電界Ｅｈｅとは、Ｅｈｃ≒Ｅｈｅを満たす関係が得られる。
この結果、用紙Ｓの排出姿勢が異なっても、適性な剥離用電界Ｅｈを形成することで用紙Ｓの各部での帯電補正効果を調整することが可能である。
尚、本実施の形態では、二次転写域での転写荷重分布から用紙Ｓの排出姿勢を予測しているが、これに限られるものではなく、実施の形態１と同様に、他の補正条件を加味してもよい。また、本実施の形態では、剥離電極９８の電極要素９８ｃのみを昇降装置１２０で昇降させるようにしているが、これに限られるものではなく、例えば電極要素９８ｃを固定設置し、剥離電極９８の他の電極要素９８ａ，９８ｂを昇降装置１２０で昇降させるようにしてもよいし、あるいは、全ての電極要素９８ａ〜９８ｃを昇降装置１２０で個別に昇降させるようにしてもよい。更に、本実施の形態では、剥離電極９８の各電極要素９８ａ〜９８ｃに印加する剥離用電圧Ｖｈは同じものが選定されているが、剥離電極９８の電極要素９８ａ〜９８ｃの位置に加えて剥離用電圧Ｖｈをも調整対象にしてもよいことは勿論である。
【００３４】
◎実施の形態３
図１２は実施の形態３に係る画像形成装置の要部を示す説明図である。
同図において、画像形成装置の基本的構成は実施の形態１と略同様であるが、実施の形態１と異なり、用紙Ｓの種類を判別し、用紙Ｓの坪量又は厚さが予め決められた値以下の所謂薄紙であるときに、用紙Ｓに対する帯電補正処理として用紙各部の排出姿勢を予測した帯電補正処理を実施し、薄紙に該当しない場合には通常の帯電補正処理を実施するようにしたものである。
本例では、制御装置１１０には例えば用紙選択スイッチ１３０からの信号が入力されるようになっており、制御装置１１０は用紙選択スイッチ１３０からの信号に基づき薄紙が選択されたか否かを判別するようになっている。尚、このような用紙の種類の判別は、用紙選択スイッチ１３０に限られるものではなく、例えば用紙の厚みセンサなどの信号を用いてもよいことは勿論である。
次に、本実施の形態に係る画像形成装置の用紙に対する帯電補正処理について図１３を用いて説明する。
同図において、今、用紙選択スイッチ１３０にて薄紙が選択されたとすると、制御装置１１０は薄紙が選択されたことを判別し、実施の形態１と同様に、用紙の各部に対して帯電補正処理を個別に実施する。
これに対し、用紙選択スイッチ１３０にて薄紙ではない厚紙が選択されたとすると、制御装置１１０は厚紙が選択されたと判別し、用紙Ｓ全体の排出姿勢を判別すると共に、剥離電極９８に印加する剥離用電圧Ｖｈを予め決められた標準モードに設定する。尚、ここでいう‘標準モード’とは、剥離電極９８の各電極要素９８ａ〜９８ｃに対して共通の剥離用電圧Ｖｈを設定するものであるが、用紙Ｓに対する帯電補正処理が不要である場合には剥離用電圧Ｖｈを０とすることも含む。
【実施例】
【００３５】
◎実施例１
本実施例は、実施の形態１に係る画像形成装置を具現化したものに対し、二次転写域の転写荷重（ｇｆ／ｃｍ２）と二次転写域を通過した用紙の排出姿勢角度θ（°）との関係を調べた。
ここで、転写荷重１（ｇｆ／ｃｍ２）は０．００９８（Ｎ／ｃｍ２）に相当し、排出姿勢角度θ（°）は二次転写域の入口、出口を結ぶ基準線に対する用紙の排出方向線の交差角度である。
本実施例では、二次転写ロールは対向ロールよりも高硬度（アスカＣ硬度で７８度と６２度）であり、図１４（ａ）に示すように、二次転写域のうち二次転写ロールの軸方向中央部に対応した領域を通紙領域とし、この通紙領域に短冊状の幅寸法ｗｓ（本例では７０ｍｍ）の用紙Ｓ’を通過させ、転写荷重及び用紙Ｓ’の排出姿勢角度θ（°）を測定したところ、図１４（ｂ）に示す結果が得られた。
同図によれば、二次転写域の転写荷重が減少するにつれて用紙Ｓ’の排出姿勢角度θ（°）は大きくなり、中間転写体側に向かう上向きに変化することが理解される。
このことからすると、二次転写域での転写荷重分布から用紙Ｓ’の排出姿勢が予測可能であることが推測される。
【００３６】
◎実施例２
本実施例は、実施例１と同様の画像形成装置を用い、所定の薄紙が二次転写域を通過する条件として、剥離電極へ印加する剥離用電圧と二次転写域における転写荷重との相関を調べたものである。
実施例条件は以下の通りである。
・薄紙：坪量が７２ｇｓｍコート紙
・  二次転写ロール：ＥＣＯ／ＮＢＲゴム層上にフッ素系樹脂コートを施したもので、外径２４φ、体積抵抗７．０ｌｏｇΩ、アスカＣ硬度７８度を具備。
・対向ロール：ＥＣＯ／ＮＢＲゴムを発泡させたもので、外径２０φ、体積抵抗６．５ｌｏｇΩ、アスカＣ硬度６２度を具備。
・剥離電極：二次転写域の入口、出口を結ぶ基準線Ｌ０との距離が１０ｍｍに設定。
結果を図１５に示す。
同図において、横軸の‘転写荷重’は二次転写域の用紙幅方向の中央部に幅寸法ｗｓ７０ｍｍの用紙Ｓ’を通るように搬送させたときの加圧荷重を示し、縦軸の‘剥離電極印加電圧’とは剥離電極へ印加した電圧を示す。
そして、図中●は所定の転写荷重、印加電圧の条件で、二次転写域の用紙幅方向の中央部に幅寸法ｗｓ（本例では７０ｍｍ）の用紙Ｓ’を通るように搬送させ、１０枚出力したときに全て通紙できたことを示し、▲は１０枚の用紙Ｓ’のうち１枚以上ベルト状の中間転写体上に用紙Ｓ’が貼り付いた現象（ＰＯＢ：PAPER ON BELT）が見られたことを示し、■は１０枚の用紙Ｓ’のうち１枚以上二次転写ロール（BTR）に捲き付いた現象を示す。
図１５によれば、用紙の剥離性（通紙性）を良好に保つには、転写荷重が大きい場合には、剥離電極の印加電圧（剥離用電圧に相当）を小さく設定してもよいことが理解され、
また、転写荷重が小さい場合には、剥離電極への印加電圧を大きく設定すればよいことが理解される。
図１５によれば、例えば、二次転写ロールの撓みにより軸方向端部の転写荷重が５０００ｇｆ／ｃｍ２で、軸方向中央部の転写荷重が３５００ｇｆ／ｃｍ２となった場合を例に挙げると、用紙Ｓの幅方向端部では剥離電極の電極要素への印加電圧はなくてもよく、用紙Ｓの幅方向中央部では剥離電極の電極要素に対し−２ｋＶの剥離用電圧を印加することで全体として適性な用紙帯電量に調整できることが把握される。
【符号の説明】
【００３７】
１…移動体，１ａ…対向部材，２…転写部材，３…剥離電極，４…剥離用電源，５…調整装置，Ｇ…画像，Ｖｈ（Ｖｈｃ，Ｖｈｅ）…剥離用電圧，Ｅｈ（Ｅｈｃ，Ｅｈｅ）…剥離用電界，ｇ（ｇｃ，ｇｅ）…剥離電極と記録材との間隙，Ｓ…記録材
【図１】
2014238454.tif 000003
【図２】
2014238454.tif 000004
【図３】
2014238454.tif 000005
【図４】
2014238454.tif 000006
【図５】
2014238454.tif 000007
【図６】
2014238454.tif 000008
【図７】
2014238454.tif 000009
【図８】
2014238454.tif 000010
【図９】
2014238454.tif 000011
【図１０】
2014238454.tif 000012
【図１１】
2014238454.tif 000013
【図１２】
2014238454.tif 000014
【図１３】
2014238454.tif 000015
【図１４】
2014238454.tif 000016
【図１５】
2014238454.tif 000017